(57)【特許請求の範囲】
【請求項１】
スプレー剤の噴射方向を、ノズルの長手方向と垂直方向の何れかに切り替えることのできる可変ノズルであって、
前記可変ノズルは、スプレー缶の噴出孔に結合される細長い管状のノズル本体と、
噴射方向を切り替える機構を有する略円筒状のアダプタから成り、
前記ノズル本体は、ノズル先端面もしくはノズル側面に設けられるノズル本体噴出孔を有し、
前記アダプタは、前記ノズル本体先端部と嵌合し固着される軸部材と、該軸部材に対して回動し得る回転部材から成り、
前記回転部材は、円筒先端面に設けられた第１の噴出孔と、円筒側面に設けられた第２の噴出孔を有し、軸中心に回転することにより、第１の噴出孔と前記ノズル本体噴出孔、或は、第２の噴出孔と前記ノズル本体噴出孔が連通される構造を有することを特徴とする可変ノズル。
【請求項２】
前記ノズル本体噴出孔はノズル側面に設けられ、
前記ノズル本体は、ノズル先端面が塞がれ、前記アダプタと回動自在に固定されるようにノズル側面外周に設けられる溝部と、前記アダプタと係合するための突起部を備え、
前記アダプタは、前記回転部材の内周壁に、前記ノズル本体の前記溝部と嵌合する隆起部と、前記軸部材と回動自在に嵌合するための第１凹凸部を備え、
前記軸部材は、前記ノズル本体の前記突起部と係合するための切り欠き部と、前記回転部材の第１凹凸部と嵌合するための第２凹凸部を備えることを特徴とする請求項１に記載の可変ノズル。
【請求項３】
前記ノズル本体噴出孔はノズル先端面に設けられ、
前記ノズル本体は、前記アダプタと回動自在に固定されるようにノズル側面外周に設けられる溝部と、前記アダプタと係合するための突起部を備え、
前記アダプタは、前記回転部材の内周壁に、前記ノズル本体の前記溝部と嵌合する隆起部と、前記軸部材と回動自在に嵌合するための第１凹凸部を備え、
前記軸部材は、前記ノズル本体の前記突起部と係合するための切り欠き部と、前記回転部材の第１凹凸部と嵌合するための第２凹凸部を備えることを特徴とする請求項１に記載の可変ノズル。
【請求項４】
前記回転部材と前記軸部材は、嵌合された状態で、時計回り、或は、反時計回りに、１８０°の範囲内で、回動可能であることを特徴とする請求項１〜３の何れかに記載の可変ノズル。
【請求項５】
前記回転部材の外周側面には、前記第２の噴出孔の位置を確認するための噴射位置確認用マーカが設けられることを特徴とする請求項１〜３の何れかに記載の可変ノズル。
【請求項６】
前記ノズル本体は、前記ノズル本体噴出孔からノズルの軸芯に対して略平行に位置するノズルの根元部に、前記ノズル本体噴出孔の開口方向を確認するための開口方向確認用マーカが設けられることを特徴とする請求項３に記載の可変ノズル。
【請求項７】
前記アダプタには、前記第２の噴出孔の噴射ターゲットをノズル根元部から確認するための反射鏡が設けられていることを特徴とする請求項１〜３の何れかに記載の可変ノズル。
【請求項８】
前記反射鏡には、前記第２の噴出孔の噴射ターゲットを照らすことができるＬＥＤランプが設けられていることを特徴とする請求項７に記載の可変ノズル。
【発明の詳細な説明】
【技術分野】
【０００１】
本発明は、物体の裏側、細部等へ、方向自在に噴出することができるようにしたスプレーノズルに関するものである。
【背景技術】
【０００２】
従来から、スプレーノズルは、ノズル先端を噴霧する箇所に近づけ、正しい位置に噴霧させる目的に使用される。通常、ノズルの噴出孔はノズル先端面に設けられ、ノズルの長手方向に噴射される。そのため、機械内部の狭い箇所にあるナット、ベアリング、ギヤボックスあるいはヒンジ機構部品に対してグリスや錆止めを噴射する際、ノズルを挿し込んだ方向に対して垂直方向に噴射したい場合に、スプレー缶を横や斜めに傾けて噴射方向を調整するだけでは不十分である。
【０００３】
上記問題を解決するために、スプレー缶に突設した細長い管状の噴霧ノズル先端部において、対向する二側面にノズル孔をそれぞれ設けてなるスプレーノズルが知られている（例えば、特許文献１を参照）。
また、ノズルパイプの途中に蛇腹部を設けることで、噴霧する方向が自在に調整可能なスプレーノズルも知られている（例えば、特許文献２を参照）。
【先行技術文献】
【特許文献】
【０００４】
【特許文献１】実開昭６３−０３５４５７号公報
【特許文献２】特開２０１３−２１６３７５号公報
【発明の概要】
【発明が解決しようとする課題】
【０００５】
しかしながら、特許文献１に開示されたスプレーノズルの場合、対向する二側面にノズル孔がそれぞれ設けられているので、一方向にだけ噴射したい場合には不都合であるし、ノズル先端面にはノズルの噴出孔は設けられていないので、ノズルの長手方向に噴射することもできない。また、特許文献２に開示されたスプレーノズルの場合、ノズルパイプの途中に蛇腹部を設けているので、蛇腹部を動かして噴霧させたい箇所に合わせ変形させて噴射することができる。これによれば、ノズルの長手方向に噴射することも、垂直方向に噴射することも可能である。
しかし、ノズルパイプが直線状の場合は、ノズルパイプの最厚部に相当する空間さえあればノズルパイプを挿し込むことができるが、蛇腹部を動かして噴霧させたい箇所に合わせて変形させると、ノズルパイプが直線状ではなくなり、変形前と比べてノズルパイプを挿し込むための空間がより多く必要になる。その結果、ノズルパイプを挿し込むこと自体が困難になる。
【０００６】
また、ノズルの噴出孔を自在に動かし特定の方向に向けて噴霧させることができたとしても、どの方向に噴射されるかということを、利用者が確認できなければ、誤った方向に付着させてしまうことが考えられる。特許文献２のスプレーノズルの場合、ノズルパイプの途中に蛇腹部を設けているので、蛇腹部を動かして噴霧させたい箇所に合わせて変形させることが可能ではあるが、どのような形に変形させたかを使用者の手元で確認することはできない。そのため、複雑な構造の機械の内部にノズルパイプを挿し込み、ノズルパイプ先端部が使用者から見えない場合には、必ずしも意図した箇所への噴霧付着がなされないという問題がある。
【０００７】
上記の問題点を受け、本発明者は既に、スプレーノズルの噴出孔の開口方向を確認しながら、ノズルの軸芯に対して略垂直の方向に向けて噴出させるスプレーノズルを発明している。
これは、スプレー缶に突設した細長い管状のスプレーノズル先端部において、ノズル先端面が塞がれ、ノズル側面に噴出孔が１箇所設けられ、しかも、噴出孔からノズルの軸芯に対して略平行に位置するノズルの根元部に、噴出孔の開口方向を確認するためのマーカが設けられるものであった。
しかしながら、かかる発明では、スプレー剤の噴射方向をノズルの長手方向と垂直方向の何れかに切り替える必要がある場合には、一旦、該ノズルを取り外し、ノズルの長手方向へ噴射可能なノズルを別途取り付けなければならないという問題があり、煩雑であった。
【０００８】
上記状況に鑑みて、本発明は、ノズルを取り替えることなく、簡単な操作でスプレーノズルの噴出孔の位置を切り替えられ、かつ、容易に噴出孔の位置を確認できるスプレーノズルを提供することを目的とする。
【課題を解決するための手段】
【０００９】
上記課題を解決すべく、本発明の可変ノズルは、スプレー剤の噴射方向を、ノズルの長手方向と垂直方向の何れかに切り替えることのできる可変ノズルであって、スプレー缶の噴出孔に結合される細長い管状のノズル本体と、噴射方向を切り替える機構を有する略円筒状のアダプタから成るものである。
アダプタには噴射方向を切り替える機構が設けられているため、噴射方向を切り替える度にアダプタを取り外すといった手間がかからない構造となっている。
【００１０】
本発明の可変ノズルにおいて、ノズル本体は、ノズル先端面もしくはノズル側面に設けられるノズル本体噴出孔を有する。ノズルの長手方向に噴出する通常のノズルの場合、ノズル先端面にノズル本体噴出孔に設けられる。一方、ノズルの長手方向と垂直方向に噴出するノズルの  場合、ノズル先端面は塞がれ、ノズル側面にノズル本体噴出孔に設けられる。
一方、アダプタは、ノズル本体先端部と嵌合し固着される軸部材と、その軸部材に対して回動し得る回転部材から成る。回転部材は、円筒先端面に設けられた第１の噴出孔と、円筒側面に設けられた第２の噴出孔を有し、軸中心に回転することにより、第１の噴出孔とノズル本体噴出孔、或は、第２の噴出孔とノズル本体噴出孔が連通される構造を有する。
【００１１】
本発明の可変ノズルにおいて、ノズル本体は、アダプタと回動自在に固定されるようにノズル側面外周に設けられる溝部と、アダプタと係合するための突起部を備える。そして、アダプタは、アダプタの構成要素である回転部材の内周壁に、ノズル本体の溝部と嵌合する隆起部と、軸部材と回動自在に嵌合するための第１凹凸部を備える。また、アダプタの構成要素である軸部材は、ノズル本体の突起部と係合するための切り欠き部と、回転部材の第１凹凸部と嵌合するための第２凹凸部を備える。
ノズル先端部に設けられた溝部と回転部材に設けられた隆起部が嵌合することにより、アダプタがしっかりとノズル先端部に係着でき、使用時にアダプタがノズルから外れることを防止できる。
【００１２】
また、ノズルに突起部が設けられ、アダプタに切り欠き部が設けられることにより、アダプタとノズル先端部の相対的な姿勢位置を容易に合せることが可能となる。すなわち、第１の噴出孔とノズル本体噴出孔、或は、第２の噴出孔とノズル本体噴出孔が重なる位置に容易に調整できることになる。
【００１３】
本発明の可変ノズルにおいて、アダプタを構成する回転部材と軸部材は、嵌合された状態で、時計回り或は反時計回りに１８０°の範囲内で回動可能であることが好ましい。
軸部材はノズル本体先端部と嵌合し固着されていることから、回転部材と軸部材が相対的に回動することにより、ノズル本体噴出孔と通じる噴出孔（第１の噴出孔、或は、第２の噴出孔）の切り替えが可能となり、ノズルの長手方向と垂直方向の何れかに噴射方向の切り替えが可能となるのである。円筒先端面に設けられた第１の噴出孔とノズル本体噴出孔が通じた場合は、ノズルの長手方向に噴射され、反対に、円筒側面に設けられた第２の噴出孔とノズル本体噴出孔が通じた場合は、ノズルの垂直方向に噴射されることになる。
【００１４】
本発明の可変ノズルにおいて、アダプタを構成する回転部材の外周側面には、第２の噴出孔の位置を確認するための噴射位置確認用マーカが設けられることが好ましい。
アダプタの円筒先端部に設けられる第１の噴出孔と異なり、アダプタの円筒側面に設けられる第２の噴出孔は、ノズル根元部からは確認し辛いため設けられるものである。
【００１５】
本発明の可変ノズルのノズル本体は、ノズル本体噴出孔からノズルの軸芯に対して略平行に位置するノズルの根元部に、ノズル本体噴出孔の開口方向を確認するための開口方向確認用マーカが設けられることが好ましい。これにより、噴射方向の確認がより正確となり、利用者の利便性を向上させる。
【００１６】
本発明の可変ノズルを構成するアダプタには、第２の噴出孔の噴射ターゲットをノズル根元部から確認するための反射鏡が設けられていることが好ましい。
反射鏡が設けられることで、噴霧ターゲットを目視で直接確認できない場合でも、反射鏡を介して、ノズル根元部から噴霧ターゲットを確認しながら、スプレー剤を噴霧付着させることが可能となる。
【００１７】
本発明の可変ノズルにおいて、アダプタに設けられる反射鏡には、第２の噴出孔の噴射ターゲットを照らすことができるＬＥＤランプが設けられていることが好ましい。
狭小空間にノズルを挿し込む場合、アダプタに反射鏡が設けられていても噴霧箇所が暗くて見づらいことが考えられる。そのため、反射鏡にＬＥＤランプを設け、噴霧箇所を明るく照らすことで、噴射方向の確認をより容易にし、利用者の利便性を向上させる。
【発明の効果】
【００１８】
本発明の可変ノズルによれば、噴霧対象に応じて、簡単にスプレーノズルの噴出孔の位置を切り替えられ、かつ、容易に噴出孔の位置を確認し、スプレー剤を噴射できるといった効果がある。
【図面の簡単な説明】
【００１９】
【図１】実施例１の可変ノズルの構造説明図
【図２】実施例１のノズル先端部の拡大図、（１）は正面図、（２）は平面図を示している。
【図３】実施例１のアダプタの拡大図、（１）は正面図、（２）は左側面図、（３）は右側面図、（４）は平面図、（５）は平面から見た断面図を示している。
【図４】実施例１の可変ノズルのアダプタの分解図、（１）は左側面からの斜視図、（２）は右側面からの斜視図を示している。
【図５】実施例１の可変ノズルの嵌合部の説明図
【図６】実施例１の可変ノズルの噴射方向の変化を示した図、（１）は切り替え前、（２）は切り替え後を示している。
【図７】実施例１の可変ノズルの使用例を示した図
【図８】実施例１の可変ノズルをスプレー缶に取り付けた図、（１）は平面図、（２）は斜視図を示している。
【図９】実施例２の可変ノズルをスプレー缶に取り付けた図、（１）は平面図、（２）は斜視図を示している。
【図１０】実施例３の可変ノズルをスプレー缶に取り付けた図、（１）は平面図、（２）は斜視図を示している。
【図１１】実施例３のＬＥＤランプの内部構成図
【発明を実施するための最良の形態】
【００２０】
以下、本発明の実施形態の一例を、図面を参照しながら詳細に説明していく。なお、本発明の範囲は、以下の実施例や図示例に限定されるものではなく、幾多の変更および変形が可能である。
【実施例１】
【００２１】
図１は、実施例１の可変ノズルの構造説明図を示している。
図１に示されるように、可変ノズル１は、ノズル本体２とアダプタ３から成り、ノズルボタン７に取り付けることが可能である。ノズル本体２とアダプタ３は、アダプタ３の端部３ｂとノズル２の先端部２ａを嵌合させて取り付け、ノズル本体２とノズルボタン７は、ノズル２の根元部２ｂとノズル取付口７ａを嵌合させて取り付ける構造である。
【００２２】
図２は、実施例１のノズル先端部の拡大図を示し、（１）は正面図、（２）は平面図を示している。図２（１）（２）に示されるように、ノズル本体２の先端部２ａにおいては、先端面２ｃから根元部２ｂへ向けて順に、ノズル側面の噴出孔２１、溝部２２及び突起部２３が設けられている。ノズル２に設けられる噴出孔はノズル本体噴出孔２１のみであり、先端面２ｃには噴出孔は設けられていない。
また、図２（１）（２）に示されるように、溝部２２は、アダプタ３と固定するために設けられるものであり、ノズル２の外周側面に、輪っか状に設けられている。突起部２３は、アダプタ３と固定するために設けられるものではなく、アダプタ３に設けられる切り欠き部５２と係合されるために設けられるものであり、ノズル本体２とアダプタ３が接続された際にノズル側面の噴出孔２１とアダプタ３に設けられる第１の噴出孔４２又は第２の噴出孔４３が重なるための位置調整機能を果たしている。
【００２３】
図３は、実施例１のアダプタの拡大図を示し、（１）は正面図、（２）は左側面図、（３）は右側面図、（４）は平面図、（５）は断面図を示している。図３（１）〜（４）に示されるように、アダプタ３の先端面３ａには第１の噴出孔４２が設けられ、アダプタ３の先端部側面には第２の噴出孔４３が設けられている。また、端部３ｂには切り欠き部５２が設けられている。
アダプタ３のノズル本体２への取り付け時には、切り欠き部５２は、突起部２３と係合されるように取り付けられる。これにより、ノズル本体噴出孔２１とアダプタ３に設けられる第１の噴出孔４２又は第２の噴出孔４３は連通されるように取り付けられる。
また、回転部材４の外周側面には、噴射位置確認用マーカ４５が設けられており、スプレー剤９が噴射される位置の確認を容易にしている。
図３（５）に示されるように、回転部材４の内周側面には隆起部４４が輪っか状に設けられ、ノズル本体２に取り付けられた際には溝部２２と嵌合する形状となっている。これにより、スプレー剤噴射時にアダプタ３がノズル本体２から意図せずに外れることを防止できる。
また、回転部材４と軸部材５は第１凹凸部４１と第２凹凸部５１とで嵌合されている。
アダプタ３をノズル本体２に取り付けた際、ノズル本体噴出孔２１が連通部４３ａと連通している場合には、スプレー剤９は第２の噴出孔４３から噴射されることになる。かかる状態で、回転部材４を左側面視上で反時計回りに１８０°回転させると、ノズル本体噴出孔２１は連通部４２ａと連通し、スプレー剤９は第１の噴出孔４２から噴射されることになる。
【００２４】
図４は、実施例１の可変ノズルのアダプタの分解図であり、（１）は左側面からの斜視図、（２）は右側面からの斜視図を示している。また、図５は、実施例１の可変ノズルの嵌合部の説明図を示している。
図４（１）に示されるように、軸部材５の第２凹凸部５１には、左側面視上で左下に略９０°の範囲で凸部５１ａが設けられている。また、図４（２）に示されるように、回転部材４の第１凹凸部４１には、右側面視上で左下に略９０°の範囲で凸部４１ａが設けられている。
図５に示されるように、第１凹凸部４１と第２凹凸部５１が嵌合された場合、凸部５１ａと凸部４１ａは嵌合されるが、上部略１８０°の範囲で隙間３１が生じるため、回転部材４が軸中心に回転することが可能となる。
【００２５】
図６は、実施例１の可変ノズルの噴射方向の変化を示した平面図であり、（１）は切り替え前、（２）は切り替え後を示している。図６（１）（２）に示されるように、アダプタ３の回転部材４を回転させることで、スプレー剤９の噴射方向を簡単に変えることができる。
また、ノズル本体噴出孔２１からノズルの軸芯に対して略平行に位置するノズルの根元部２ｂには、ノズル本体噴出孔２１の開口方向を確認するための開口方向確認用マーカ６が設けられている。これにより、噴射方向の確認がより正確となり、利用者の利便性を向上させる。
【００２６】
図７は、実施例１の可変ノズルの使用例を示した図である。図７に示されるように、可変ノズル１はスプレー缶１０に設けられたノズルボタン７に取り付けられ、噴霧対象物（８ａ，８ｂ）の付近に挿し込まれている。噴霧対象物８ａ及び噴霧対象物８ｂのように噴射したい方向が異なる場合でも、それらの位置に応じて、アダプタ３の噴射方向を自在に切り替えて使用することが可能である。
【実施例２】
【００２７】
図８は実施例１の可変ノズルをスプレー缶に取り付けた図、図９は実施例２の可変ノズルをスプレー缶に取り付けた図を示し、それぞれ（１）は平面図、（２）は斜視図を示している。
図８（１）（２）及び図９（１）（２）に示されるように、本実施例では実施例１とは異なり、アダプタ３には第２の噴出孔４３の位置を確認するための反射鏡１１が設けられている。反射鏡１１が設けられることで、噴霧対象物８を目視で直接確認できない場合でも、反射鏡１１を介して、噴霧対象物８を確認しながら、スプレー剤９を噴霧付着させることが可能となる。
【実施例３】
【００２８】
図１０は、実施例３の可変ノズルをスプレー缶に取り付けた図を示し、（１）は平面図、（２）は斜視図を示している。図１０（１）（２）に示されるように、本実施例では実施例２とは異なり、反射鏡１１には、第２の噴出孔４３の位置確認を容易にするためのＬＥＤランプ１２が設けられている。反射鏡１１にＬＥＤランプ１２を設け、噴霧箇所を明るく照らすことで、噴射方向の確認をより容易にし、利用者の利便性を向上させる。
【００２９】
図１１は、実施例３のＬＥＤランプの内部構成図を示している。
図１１に示されるように、ＬＥＤランプ１２は、キャップ１２ａとケース１２ｂが螺合される形状となっており、その中にはボタン電池入りケース１２ｃと、プラグ１２ｄと、ＬＥＤランプ本体１２ｅが結合され、収納される構造である。
ケース１２ｂには、ＬＥＤランプ１２ｅを挿通させるための貫通孔（図示せず）が設けられ、反射鏡１１とは一体成型されている。
【００３０】
（その他の実施例）
上述の実施例では、ノズル本体噴出孔はノズル側面に設けられるものについて説明した。ノズル本体噴出孔がノズル先端面に設けられるものも上記と同様な考えに基づいて容易に設計できよう。
【産業上の利用可能性】
【００３１】
本発明は、スプレー缶に取り付けるノズルとして有用である。
【符号の説明】
【００３２】
１  可変ノズル
２  ノズル本体
２ａ  先端部
２ｂ  根元部
２ｃ  先端面
３  アダプタ
３ａ  先端面
３ｂ  端部
４  回転部材
５  軸部材
６  開口方向確認用マーカ
７  スプレーボタン
７ａ  ノズル取付口
８  噴霧対象物
９  スプレー剤
１０  スプレー缶
１１  反射鏡
１２  ＬＥＤランプ
１２ａ  キャップ
１２ｂ  ケース
１２ｃ  ボタン電池入りケース
１２ｄ  プラグ
１２ｅ  ＬＥＤランプ本体
２１  ノズル本体噴出孔
２２  溝部
２３  突起部
３１  隙間
４１  第１凹凸部
４１ａ  凸部
４２  第１の噴出孔
４２ａ  連通部
４３  第２の噴出孔
４３ａ  連通部
４４  隆起部
４５  噴射位置確認用マーカ
５１  第２凹凸部
５１ａ  凸部
５２  切り欠き部
【要約】      （修正有）【課題】ノズルを取り替えることなく、簡単な操作でスプレーノズルの噴出孔の位置を切り替えられ、かつ、容易に噴出孔の位置を確認できるスプレーノズルを提供する。【解決手段】スプレー剤の噴射方向を、ノズルの長手方向と垂直方向の何れかに切り替えることのできる可変ノズル１であって、スプレー缶の噴出孔に結合される細長い管状のノズル本体２と、噴射方向を切り替える機構を有するアダプタ３から成る。ノズル本体は、ノズル先端面２ｃもしくはノズル側面に設けられるノズル本体噴出孔を有する。アダプタは、ノズル本体先端部と嵌合し固着される軸部材と、軸部材に対して回動し得る回転部材から成る。回転部材は、円筒先端面に設けられた第１の噴出孔と、円筒側面に設けられた第２の噴出孔を有し、軸中心に回転することにより、第１の噴出孔とノズル本体噴出孔、或は、第２の噴出孔とノズル本体噴出孔が連通される構造を有する。【選択図】図１【図１】
0005867634.tif 000002
【図２】
0005867634.tif 000003
【図３】
0005867634.tif 000004
【図４】
0005867634.tif 000005
【図５】
0005867634.tif 000006
【図６】
0005867634.tif 000007
【図７】
0005867634.tif 000008
【図８】
0005867634.tif 000009
【図９】
0005867634.tif 000010
【図１０】
0005867634.tif 000011
【図１１】
0005867634.tif 000012